(57)【特許請求の範囲】
【請求項１】
テレビジョン信号の受信ブロックへ接続され、半導体集積回路で構成されており、表示装置へ適合した出力を得るために、入力した映像信号の画質処理を行うビデオ処理部と、前記ビデオ処理部で前記画質処理が行われた映像信号を表示装置へ出力する出力部とを含む第１のブロックと、
前記第１のブロックである前記半導体集積回路と互いのインターフェースを介して接続可能であるとともにネットワーク接続部を有し、ネットワークを介して取得したコンテンツをデコードしたネットワーク映像信号を、前記インターフェースを介して、前記画質処理のために前記第１のブロックへ渡すブロックであって、増設される新しいコンテンツサービスプロバイダのためのアプリケーションを保存するメモリを有する第２のブロックと、
を有するテレビジョン装置。
【請求項２】
さらに前記第２のブロックは、前記ネットワーク映像信号を前記第１のブロックから受け取った受信映像信号に挿入する手段を有し、前記ネットワーク映像信号が挿入された前記受信映像信号を前記第１のブロックに渡す請求項１記載のテレビジョン装置。
【請求項３】
さらに前記第２のブロックは、前記ネットワーク接続部を介して、複数のコンテンツサービスプロバイダからの映像信号を選択的に取得する、請求項１記載のテレビジョン装置。
【請求項４】
さらに前記第２のブロックは、前記複数のコンテンツサービスプロバイダからのそれぞれのメニュー用映像信号を得る手段と、前記それぞれのメニュー用映像信号を前記第１のブロックから受け取った受信映像信号に挿入する手段を有し、前記メニュー用映像信号が挿入された前記受信映像信号を前記第１のブロックに渡す請求項３記載のテレビジョン装置。
【請求項５】
前記第１のブロックは、前記受信映像信号の画像に、前記複数のメニュー用映像信号の画像を挿入して、前記画質処理を行い表示装置へ出力する請求項５記載のテレビジョン受信装置。
【発明の詳細な説明】
【技術分野】
【０００１】
本発明の実施形態はテレビジョン装置に関する。
【背景技術】
【０００２】
近年のテレビジョン装置は、インターネットに接続可能であり、インターネットを介して動画データを取得することができる。この種のテレビジョン装置は、ネットＴＶとも称される。
【０００３】
この種の装置では、異なる信号ソースからのデータを切り替えて表示部に供給する処理が必要である。このために、異なる信号ソースからのデータを独立したブロックで処理する技術が開発されている。例えば特許文献１には、コンピュータのデータ処理システムと、DVD再生装置からの再生信号の処理システムが、独立して切り替え動作できるようにした装置が記載されている。
【先行技術文献】
【特許文献】
【０００４】
【特許文献１】特開２００４−２６４５８８号公報
【発明の概要】
【発明が解決しようとする課題】
【０００５】
ところで最近は、動画データ、ニュース番組、各種経済情報、映画などのコンテンツを提供するコンテンツサービスプロバイダ（以下ＣＳＰ)が増加している。これらのプロバイダは、それぞれが独自のコンテンツ提供形態、例えば画像の表示形態（レイアウト）を要求している場合がある。
【０００６】
一方、テレビジョン装置本体で、プロバイダ数が増加するごとに、例えば画像表示形態のアプリケーションを変更・追加することは経済的ではない。これは、テレビジョン装置は、復調、復号処理、画像及びオーディオ処理、画質調整、テレビジョンフォーマットの変換処理などで、内部の制御プログラムに多くの負担がかかっているからである。これに対してさらに新たなアプリケーションを追加するとなるとテレビジョン装置全体のハードウエア及びソフトウエアの設計変更が必要となる。
【０００７】
そこで本発明の目的は、ハードウエアの大きな変更を必要とせず、ソフトウエアの開発も小規模で済むようにしたテレビジョン装置を提供することを目的とする。
【課題を解決するための手段】
【０００８】
実施形態によれば、実施形態では、第１のブロックが、テレビジョン信号の受信ブロックへ接続され、半導体集積回路で構成されており、表示装置へ適合した出力を得るために、入力した映像信号の画質処理を行うビデオ処理部と、前記ビデオ処理部で前記画質処理が行われた映像信号を表示装置へ出力する出力部とを含む。第２のブロックが、前記第１のブロックである前記半導体集積回路と互いのインターフェースを介して接続可能であるとともにネットワーク接続部を有し、ネットワークを介して取得したコンテンツをデコードしたネットワーク映像信号を、前記インターフェースを介して、前記画質処理のために前記第１のブロックへ渡す。
【図面の簡単な説明】
【０００９】
【図１】実施形態の構成の一例を示すブロック図である。
【図２】図１の実施形態のテレビジョン装置が動作したときに表示装置の画像の例と信号経路の例を示す図である。
【図３】図１の実施形態のテレビジョン装置が動作したときに表示装置の画像の他の例を示す図である。
【図４】図１の実施形態のテレビジョン装置の動作モードの分類例を示す図である。
【図５】図５（Ａ）は第１のブロック及び第２のブロック内のアプリケーションとハードウエアの分類例を示す図であり、図５（Ｂ）は第１のブロック内のアプリケーションが主導となり起動されたときのアプリケーション順位と第２のブロック内のアプリケーションが主導となり起動されたときのアプリケーション順位を示す説明図である。
【図６】第１のブロックと第２のブロック内の一部の構成例をさらに詳しく示す図である。
【図７】図７（Ａ）は第１のブロックと第２のブロックとの間で操作信号の変換テーブルが構築されたときの様子を示し、図７（Ｂ）はこの変換テーブルを利用してリモートコントローラで第２のブロックで起動されているアプリケーションに応答する際の動作説明図である。
【発明を実施するための形態】
【００１０】
以下、実施の形態について図面を参照して説明する。図１において、１００は第１のブロックであり、受信ブロック１０１で受信されたテレビジョン信号が供給される。第１のブロック１００は、半導体集積回路で構成され、テレビジョン信号を処理するための回路ブロックを搭載している。このような半導体集積回路は、システムオンチップ（ＳｏＣ）と称されることもある。
【００１１】
この第１のブロック１００は、変換部１１１を含み、この変換部１１１は、デジタルテレビジョン信号をデコードし、デコードされた映像信号の画質調整などを行い、画質調整された映像信号を表示用信号に変換する。表示用信号は、表示装置５００に供給される。
また第１のブロック１００は、リモートコントローラ４００からの操作信号を受け取り処理する操作信号取得部１１２を含む。さらに第１のブロック１００は、この第１のブロック１００内の機能を統括して制御する制御部１１３も含む。
【００１２】
第１のブロック１００には、無線ランモジュール１０４が接続されている。無線ランモジュール１０４には、アンテナ１０３が接続されている。第１のブロック１００は、無線ランモジュール１０４を介して、外部のコンテンツサービスプロバイダからのコンテンツを取り込むことができる。コンテンツは例えば動画コンテンツ、ニュースコンテンツである。
【００１３】
第１のブロック１００は映像信号を含むバイパスストリームを出力することができる。このバイパスストリームは、バイパス経路１２４を介して第２のブロック２００に入力される。第２のブロック２００は、スイッチ２０２を介してコネクタ２０１に接続されている。このコネクタ２０１は、外部ネットワーク、つまりインターネットへの接続コネクタである。第２のブロック２００は、加工処理部２１１を含む。加工処理部２１１は、バイパス経路１２４を介して入力したバイパスストリームの映像信号に対して、スイッチ２０２を介して入力した外部ネットワークからの映像信号を挿入処理（或いは多重処理）する
ことができる。
【００１４】
加工処理部２１１の出力は、リターンストリームとしてリターン経路２１４を通り、第１のブロック１００に送信される。
【００１５】
先のスイッチ２０２を介して第２のブロック２００に入力する外部ネットワークからの映像信号としては、前記したコネクタ２０１から入力するインターネットからの映像信号と、先の無線ランモジュール１０４を介して取り込まれた映像信号とがある。スイッチ２０２は、これら２つの映像信号のいずれか一方を選択して、第２のブロック２００に供給している。
【００１６】
第２のブロック２００は、このブロック２００を統括して制御する制御部２１２を含む。さらに第１のブロック１００及び第２のブロック２００は、スイッチ３０２を介して、外部接続装置３００からの映像信号を取り込むこともできる。外部接続装置３００としては、ゲーム装置、光ディスク、磁気ディスク、ハードディスク、半導体メモリなどの記憶媒体プレーヤなどがある。外部接続装置３００からの出力は、例えばＨＤＭＩ（High Definition Multimedia Interface）３０１、スイッチ３０２を介して、第１のブロック１００或いは第２のブロック２００に供給される。
【００１７】
さらに第１のブロック１００と第２のブロック２００の間は、制御信号経路２２０により関連付けられている。制御信号経路２２０は、第１のブロック１００から第２のブロックに向けて第１の搬送信号を伝送し、第２のブロック２００から第１のブロック１００に向けて第２の搬送信号を伝送する。
【００１８】
例えば、第１のブロック１００の操作信号取得部１１２で取得された操作信号（或いは制御信号或いはデータ）は第1の搬送信号により第２のブロックに伝送される。また第２のブロック２００からの制御信号（或いはデータ）は第２の搬送信号により第1のブロック１００に伝送される。また制御信号は、スイッチ２０２、３０２の選択状態を制御することもできる。
【００１９】
上記した、バイパス経路１２４、リターン経路２１４及び制御信号経路２２０は、例えばＨＤＭＩ（High Definition Multimedia Interface）によりまとめて構築されていてもよい。
【００２０】
上記の装置が放送信号を受信して、受信番組の映像を表示するデジタルテレビジョン装置として動作するときは、以下のように動作する。図２（Ａ）乃至図２（Ｂ）も参照して説明する。即ち、受信ブロック１０１は操作に応じたチャンネルの放送番組を受信する。受信ブロック１０１から出力された放送番組のストリームは、第１のブロック１００の変換部１１１に入力する。変換部１１１では、ストリーム内の映像信号をデコーダにより取り出すと共に、デコードされた映像信号を画質調整し、さらに走査線や画素数などの変換処理を行い表示信号として出力する。出力された表示信号は、表示装置５００に入力され、画像イメージとして表示される。図２（Ａ）には、このときの信号経路（ストリームＳｇ１）が示されている。
【００２１】
ユーザがリモートコントローラ４００に設けられているネットモード指定キー４０１を操作すると、このテレビジョン装置は、コンテンツサービスプロバイダからのコンテンツを視聴可能な状態に切り替わる。
【００２２】
第1のブロック１００からの映像信号を含むバイパスストリームがバイパス経路１２４を介して第２のブロック２００内に導かれるようになる。映像信号は、受信ブロック１０１で選択されている番組の映像信号である。図１のストリームＳｇ２がバイパス経路１２４に形成される。
【００２３】
第２のブロック２００では、ネットワークを介して取得した映像信号が復号されている。また制御部２１２は、メニュー処理部を含み、ネットワークを介して取り込むことができる複数のコンテンツサービスプロバイダ（ＣＳＰｓ）に関するメニュー映像信号を生成することができる。制御部２１２は、例えば各ＣＳＰから送られてくる映像信号の一部を定期的に縮小してメモリに保存し、メニュー映像信号とすることができる。
【００２４】
第２のブロック２００の加工処理部２１１は、前記バイパス経路１２４から映像信号に対して前記メニュー画像信号を挿入し、リターンストリームを生成する。このときのストリームＳｇ３は、リターン経路２１４を介して、第１のブロック１００に返還される。
【００２５】
第１のブロック１００では、変換部１１１を利用して、前記リターンストリーム内の映像信号を表示用信号に変換して出力する。
【００２６】
これにより表示装置５００では、受信ブロック１０１で受信された番組の画像５０１、及び第２のブロック２００で作成されたメニュー映像信号によるメニュー用画像５０２−５０６が表示される。図１及び図２（Ｂ）では、４つのメニュー用画像５０２−５０６が表示された例を示しているが、リモートコントローラ４０２のスクロール用のキーを操作すると、画面の左或いは右方向へメニュー用画像がスクロールし、さらに多くのメニュー
用画像を表示することができる。つまりコンテンツサービスプロバイダが多くなれば、メニュー用画像の数も多くなる。
【００２７】
一方、第１のブロック１００内の制御部１１３は、メニュー用画像５０２−５０６に対応する各コンテンツが、コネクタ２０１の経路で取得されているのか、無線ランモジュール１０４の経路で入力するのかを認識している。この認識は、例えばユーザが、プロバイダ接続用のアクセスアドレスなどを、制御部１１３に含まれるアドレス管理部（図示せず）に設定したときに可能である。つまりプロバイダが無線を通じてコンテンツを提供しているのか、インターネットを通じて提供しているかが、アクセスアドレスにより判断可能であるからである。
【００２８】
したがって、メニュー用画像５０２−５０６のうちいずれかがリモコン操作により指定されとき、制御部１１３は、リモートコントローラ４００からの制御信号の内容から画像選択状態を判定し、この判定結果に基づいて、スイッチ２０２を制御し、ストリームＳｇ１１，Ｓｇ１２のいずれか一方を選択させる。
【００２９】
即ちユーザは、リモートコントローラ４０２のカーソルキー（図示せず）を操作すると、表示装置５００の画面上で、メニュー用画像のいずれか１つにカーソルを合わせることができる。例えば図２（Ｂ）のようにカーソル５１１をメニュー用画像５０２に合わせることができる。ここでユーザが決定キーを操作すると、図２（Ｃ）に示すように表示装置５００の画面全体に選択したコンテンツサービスプロバイダが提供している動画、あるいは映画、あるいはニュース番組５０１が表示される。
【００３０】
このときは、図１のストリームＳｇ１１，或いはハストリームＳｇ１２からの動画、あるいは映画、あるいはニュース番組が表示される。つまりストリームＳｇ１１，Ｓｇ１２のいずれか一方がスイッチ２０２により選択されて、ストリームＳｇ１３として第２のブロック２００に入力される。そして、ストリームＳｇ１３に含まれる映像情報がデコードされ、映像信号として加工処理部２１１に入力する。
【００３１】
このとき切り替え或いは選択処理は、加工処理部２１１において行われる。スッチ２０２は、第１のブロック１００からの制御信号により制御される。この場合は、バイパス経路１２４からのバイパスストリームは、加工処理部２１１の入力側でカットされている。
【００３２】
したがって、ユーザが次にリモートコントローラ４００に設けられているＴＶモード指定キー４０２を操作（ネットモード指定キー４０１とは異なる）すると、バイパス経路１２４からのバイパスストリームが加工処理部２１１に入力される。そして、加工処理部２１１において、再びメニュー映像信号によるメニュー用画像５０２−５０６がＴＶ側の映像信号の画像５０１に挿入されて表示される（例えば図１の画面あるいは図２（Ｂ）の画面の状態となる）。
【００３３】
しかし、ＴＶモード指定キー４０２を操作して、一定時間が経過すると、メニュー用画像５０２−５０６は、消えて、ＴＶ側の映像信号の画像５０１のみが全画面に表示される（画面のみでみれば図２（Ａ）の状態となる、ただし、ストリーム経路は、バイパス経路→加工処理部→リターン経路である）。
【００３４】
ここで、再度、ユーザが、リモートコントローラ４００のＴＶモード指定キー４０２、或いはネットモード指定キー４０１を操作すると、ＴＶ側の映像信号の画像５０１とメニュー用画像５０２−５０６が同時に表示される。
【００３５】
なお、図２（Ｂ）の状態から、ユーザがＴＶモード指定キー４０２を操作したとき、加工処理部２１１は、単純にバイパス経路１２４からのバイパスストリームを通過させるだけの動作に切り替わってもかまわない。そして、再度、ＴＶモード指定キー４０２、或いはネットモード指定キー４０１を操作したときＴＶ側の映像信号の画像５０１とメニュー用画像５０２−５０６が同時に表示されるようにしてもよい。
【００３６】
リモートコントローラ４００からの操作信号は、操作信号取得部１１２で受信され、先に述べたように第１のブロック内の制御部１１３により認識される。制御部１１３は、操作信号（制御信号）が第２のブロック２００へ転送すべき内容であるかどうかを判断することができる。第２のブロック２００へ転送すべき操作信号であった場合、第１のブロック１００は、操作信号を第1の搬送信号に重畳して、第２のブロック２００に伝送する。
第２のブロック２００の制御部２１２は、操作信号を受け取り、その指令を第２のブロック２００内の動作に反映する。第２のブロック２００は、第２のブロックから制御信号を第２の搬送信号に重畳して、第1のブロック１００に伝送することもできる。
【００３７】
さきの図２（Ａ）の状態は、テレビジョン装置に電源が投入された直後、あるいは、外部接続装置（例えばゲーム装置、記憶媒体プレーヤ等）３００からの信号がＨＤＭＩ３０１、スイッチ３０２（図１参照）を介して直接第１のブロック１００へ入力しているときにも得られる。ゲーム装置が接続されて、ユーザが表示装置５００の画像を見ながらゲームを行う場合は、第１のブロック１００からの映像信号が、直接、表示用信号に変換されて表示装置５００に入力するほうが好ましい。
【００３８】
もし、映像信号の経路が長くなると時間的に遅延が生じ、ゲームを行うためのキー操作時点と、表示装置５００上の画像の変化時点との間で時間的なずれを生じる。このような不具合を防止するために、第１のブロック１００からの映像信号が、直接、表示用信号に変換されて表示装置５００に入力するほうが好ましい。また節電上も好ましい。図２（Ｂ）は、さきに説明したようにネットモード指定キー４０１が操作されたときの表示装置５００上の画面の例と、リターンストリームの進路状態を示している。
【００３９】
上記の説明で、図２（Ｂ），図２（Ｃ）の説明では、選択されたメニュー画像に対応するコンテンツの映像が画面全体に表示されるとしたが、背景は受信ブロック１０１からの映像で、その映像の一部にネット側からの映像が重なり、しかもこのネット側映像を任意に拡大、縮小操作できるようにしてもよい。
【００４０】
図３（Ａ）は、選択されたメニュー画像に対応するコンテンツの映像が画面全体に表示された状態を示し、図３（Ｂ）は、ネット側映像を任意に拡大、縮小し、画面上の左半分にネット側映像、右半分にテレビ側映像が表示された例である。
【００４１】
図４は、実施形態におけるテレビジョン装置の動作モードの分類例を示す図である。テレビジョン装置の電源をオンしたとき、ブートタイム、あるいはアップデートタイムのときは、単純にシングルモードであり、第１のブロック１００の制御部１１３が中心となり動作する。図２（Ａ）で説明したようにゲーム装置などの外部装置を接続した状態で使用するときは、ＴＶ機能モードとなる、またＴＶモード指定キー４０２が選択操作された状態において、無線ランモジュール１０４からの動画コンテンツやニュース映像を視聴するときも、ＴＶ機能モードとして分類することができる。ネットモード指定キー４０１が操作されたときはネットワーク機能モードとして分類することができる。
【００４２】
図５（Ａ）は、第１のブロック１００と第２のブロック２００に搭載される各ＣＳＰアプリケーション（各コンテンツサービスプロバイダからの情報を復号/変換/表示処理するための独自のアプリケーション）の例を示している。既存の第１と第２のＣＳＰアプリケーション１３１，１３２は、すでに第１のブロック１００内に搭載済みの場合の例を示している。第１のブロック１００内は、テレビジョン機能対応のハードウエアの割合が多く、制御部１１３のソフトウエアの負担の多くは、このテレビジョン機能対応ハードウエア１１６の制御に費やされる。
【００４３】
一方、第２のブロック２００は、第３乃至第ｎの多数のＣＳＰアプリケーション２３３，２３４を搭載している。新しいＣＳＰからのコンテンツを処理するために、新ＣＳＰアプリケーション増設用メモリ２３５も余裕を持っている。
【００４４】
さらにフォーマット統一アプリケーション２３６を有する。このフォーマット統一アプリケーション２３６は、第１のブロック１００からの映像信号（第１の映像信号）と、第２のブロック２００がインターネットなどを介して取得した映像信号（第２の映像信号）とは、解像度、アスペクト比、或いは基本的なフォーマットが異なる場合があるので、両者のフォーマットを統一し、多重処理を容易にするために設けられている。基本的には、第２の映像信号の形式が第１の映像信号の形式に合わせられる。
【００４５】
第１と第２のブロック１００，２００には相互通信アプリケーション１３７，２３７が設けられ、相互の制御信号の伝送・解析などに利用されている。
【００４６】
第２のブロック２００内のハードウエア規模は、送・受信機２１３、復調・デコード器２１４、エンコード・変調器２１５であり、第１のブロック１００内のハードウエア規模に比較して小さい。復調・デコード器２１４、エンコード・変調器２１５は、ソフトウエアにより構築されてもよい。
【００４７】
図５（Ｂ）は、第１のブロック１００内のアプリケーションが主導の場合と、第２のブロック２００内のアプリケーションが主導の場合を、アプリケーションに優先順位をつけて示している。第１のブロック１００内のアプリケーションが主導の場合（ＴＶモード指定キー４０２が操作された状態で）は、第１のブロック１００内で管理されている基本アプリケーションが起動され、ビデオ及びグラフィックスアプリケーション及びＣＳＰ１又は２のアプリケーションアプリケーション１３１，１３２などが上位に準備される。第２のブロック内のアプリケーションが主導の場合（ネットモード指定キー４０１が操作された状態で）は、第２のブロック２００内で管理されている基本アプリケーションが起動され、ビデオ及びグラフィックスアプリケーション及びＣＳＰ３乃至ビデオ及びグラフィックスアプリケーション及びＣＳＰｎアプリケーション２３３−２３４などが上位に準備される。
【００４８】
図６は、第１のブロック１００と第２のブロック内のハードウエアと制御部における構成をさらに詳しく示している。第１のブロック１００において、デコーダ１２１、トランスポートストリーム処理部１２２、スイッチ１２３、ビデオ処理部１２４、パーシャルトランスポートストリーム処理部１２７、インターフェース１２８、表示信号出力部１２６などは、図１の変換部１１１に含まれる。また第２のブロック２００において、復調器・デコーダ２１４、エンコーダ・変調器２１５、信号処理部２２３、インターフェース２２４などは図１の加工処理部２１１に含まれる。
【００４９】
受信ブロック１０１で受信されたチャンネルのトランスポートストリーム（多数の場合もある）は、デコーダ１２１に入力され、それぞれのストリームがデコードされる。視聴するために選択されているトランスポートストリームは、スイッチ１２３およびパーシャルトランスポートストリーム処理部１２７に入力される。
【００５０】
ＴＶ機能モードのときはスイッチ１２３がクローズとなり、視聴すべきトランスポートストリームがビデオ処理部１２５で処理されてベースバンドのビデオ信号に変換される。ビデオ処理部１２５では、画質調整・色調整・画素数変換が選択的に行われる。ビデオ処理部１２５では、表示装置への出力のために、レベル調整・ライン数変換などの処理が行われる。
【００５１】
ネットワーク機能モードのときはスイッチ１２３がオープンとなり、視聴すべきトランスポートストリームがパーシャルトランスポートストリーム処理部１２７、インターフェース１２８を介して第２のブロック２００へ送信される。送信されたトランスポートストリームは、バイパス経路１２４、インターフェース２２４を介して信号処理部２２３へ入力される。ここでは、トランスポートストリームの映像信号がデコードされ、メニュー画像あるいはネットワークからの映像信号と合成される。この合成された映像信号は、インターフェース２２４でリターンストリームとして整えられ、リターン経路２１４を介して
、第１のブロック１００に返還される。リターンストリームは、インターフェース１２８を介して、ビデオ処理部１２５に入力され、ここで、ベースバンドのビデオ信号に変換される。ビデオ処理部１２５では、画質調整・色調整・画素数変換が選択的に行われる。ビデオ処理部１２５では、表示装置への出力のために、レベル調整・ライン数変換などの処理が行われる。
【００５２】
第１のブロック１００と第２のブロック２００の制御部１１３、２１２は、制御信号経路２２０を介して、相互の制御信号の交信を行っている。制御部１１３、２１２は、図５で示したようなアプリケーションを管理するアプリケーション管理部１３０，２３０を含む。また、リモートコントローラ４００からの操作信号は、操作信号取得部１１２で取得され、制御部１１３に供給される。制御部１１３は、操作信号の内容を解析し、第１のブロック１００内の制御に関する操作信号であれば、第１のブロック１００の動作を操作信号に反映させる。しかし、操作信号は、第１のブロック１００内の制御に関するものだけでなく、第２のブロック２００内の制御に関するものも含まれる。
【００５３】
第２のブロック２００内の制御に関する情報は、次のように処理される。まず、ネットワーク機能モードのときは、リモコン操作信号処理部１３３の変換テーブルが参照される。この変換テーブルには、現在起動しているアプリケーションで利用される操作コードが記述され、この操作コードに対応したリモコン操作キーコードも記述されている。
【００５４】
これらコードを含むテーブルは、第２のブロック２００から送信されてきたものである。第２のブロック２００は、復調・デコード器２１４、エンコード・変調器２１５を含む。また信号処理部２２３、インターフェース２２４を含む。そして制御部２１２は、図５（Ａ）説明したアプリケーションを管理するアプリケーション管理部２３０を含む。さらに制御部２１２は、各アプリケーションに応じて必要な操作コードをリモートコントローラ４００のリモコン操作キーコードに対応付けて、変換テーブルを作成するキーコード処理部２３３を含む。
【００５５】
キーコード処理部２３３は、ＳＣＰのアプリケーションが起動されたとき、このアプリケーションで必要な操作コード（アプリケーション操作コードと称する）を変換テーブルの第１の列の各行に記述する。そして、変換テーブルの第２の列の各行には、アプリケーション操作コードに対して、リモコン操作キーコードを対応付けて記述する。このテーブル作成アプリケーションは、コンテンツプロバイダーの側から予め作成して送信されてきてもよい。或いは、テレビジョン装置の作成メーカが予め第２のブロック２００内にインストールしてもよいし、サービスにより、インターネットを介して更新してもよい。
【００５６】
キーコード処理部２３３で作成された、テーブルは、第１のブロック１００へ変換テーブルとして通知される。第１のブロック１００では、この変換テーブルを操作信号処理部１３３に保存する。そして、リモートコントローラ４００の操作があったときは、変換テーブルを利用してリモコン操作キーコードをアプリケーション操作コードに変換して前記第２のブロックへ転送する。
【００５７】
これにより、効率よくリモートコントローラ４００からの操作を第２のブロック２００へ伝達することができる。
【００５８】
図７（Ａ）には、ＣＳＰアプリケーションが例えば、問題を出すアプリケーションであった場合を示している。ＣＳＰアプリケーションによる画面５５１が表示装置５００に表示される。そして、ユーザは、リモートコントローラ４００を操作して、ブランク５６１−５６４に回答を記述するものとする。ブランクを選択するためにはカーソルキーが利用される。この画面５１１の例では、カーソルは上下の移動のみでよいから、リモートコントローラ４００のカーソル及び決定キー４２２では、カーソル用としては上下操移動作用のキーのみが利用される。次に、回答を記述するには、リモートコントローラ４００のテ
ンキー（１−９，０）４２１が利用される。このテンキーは、ＴＶ機能モードではチャンネル選択用として利用される。さらに、決定キーは、回答を入力した後、回答の決定用の操作キーとして利用される。
【００５９】
そのほか、通常は、記録媒体の記録再生装置の操作キー４２３が、例えば、回答のやり直し、問題選択のために別の種類の問題（或いはレベルの高い問題）に進む場合、或いは先に回答した種類の問題（或いはレベルの低い問題）に戻る場合に利用される。
【００６０】
図７（Ｂ）は、上記の問題に対して解答をユーザが答えていく際のフローチャートを示している。ユーザは、カーソルで問題の回答を入力するためのブランクを選択し、テンキー操作で回答をブランクに入力し、決定キーを操作する。
【００６１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６２】
１００・・・第１のブロック、１０１・・・受信ブロック、１０３・・・アンテナ、１０４・・・無線ランモジュール、１１１・・・変換部、１１２・・・操作信号取得部、１１３・・・制御部、２００・・・第２のブロック、２０１・・・コネクタ、２０２・・・スイッチ、２１１・・・加工処理部、２１２・・・制御部、３００・・・外部装置、３０１・・・ＨＤＭＩ、３０２・・・スイッチ、４００・・・リモートコントローラ、４０１・・・ネットモード指定キー、４０２・・・ＴＶモード指定キー、５００・・・表示装置、１２４・・・バイパス経路、２１４・・・リターン経路、２２０・・・制御信号経路。
【図１】
0005362065.tif 000002
【図２】
0005362065.tif 000003
【図３】
0005362065.tif 000004
【図４】
0005362065.tif 000005
【図５】
0005362065.tif 000006
【図６】
0005362065.tif 000007
【図７】
0005362065.tif 000008